(57)【要約】【課題】簡易な構成でコンパクトに折り畳んで携帯することができ、不使用時には邪魔にならないように片付けることができ、しかも、使用時には、被介護者の身体に沿って自由に変形し、以て被介護者の上半身を無理なく起こしたり、身体の向きを変えたりすることができる介護用エアバッグ装置を提供することを課題とする。【解決手段】空気供給部と前記空気供給部からの給気によって膨らむ袋体１０とから成り、袋体１０は三重構造であって、敷布団の下側に配置されてその幅方向に延び、一番内側の袋は空気が出入する空気袋１であり、中間の袋は芯を有する保形袋２であり、一番外側の袋は内側の２つの袋を支持して外観を整えると共に膨張時における滑りを防止する外装袋３であり、外装袋３からは敷布団の下方に向かう押止用シート４が延び、保形袋の芯は、その上部外表面に定間隔置きに多数固定される物差し状の板状部材５である。【選択図】図１
0003110099.tif 000002
【実用新案登録請求の範囲】
【請求項１】
空気供給部と前記空気供給部からの給気によって膨らむ袋体とから成り、前記袋体は三重構造であって、敷布団の下側に配置されてその幅方向に延び、一番内側の袋は空気が出入する空気袋であり、中間の袋は芯を有する保形袋であり、一番外側の袋は内側の２つの袋を支持して外観を整えると共に膨張時における滑りを防止する外装袋であり、前記外装袋からは前記敷布団の下方に向かう押止用シートが延び、前記保形袋の芯は、前記保形袋の上部外表面に定間隔置きに多数固定される物差し状の板状部材であることを特徴とする介護用エアバッグ装置。
【請求項２】
空気供給部と前記空気供給部からの給気によって膨らむ袋体とから成り、前記袋体は三重構造であって、敷布団の下側に配置されてその幅方向に延び、一番内側の袋は空気が出入する空気袋であり、中間の袋は芯を有する保形袋であり、一番外側の袋は内側の２つの袋を支持して外観を整えると共に膨張時における滑りを防止する外装袋であり、前記外装袋からは前記敷布団の下方に向かう押止用シートが延び、前記保形袋の芯は、前記保形袋の上半部外表面に定間隔置きに多数設けた長尺の差込み袋に差込まれる物差し状の板状部材であることを特徴とする介護用エアバッグ装置。
【請求項３】
空気供給部と前記空気供給部からの給気によって膨らむ袋体とから成り、前記袋体は三重構造であって、敷布団の下側に配置されてその幅方向に延び、一番内側の袋は空気が出入する独立した複数の空気室を有する空気袋であり、中間の袋は芯を有する保形袋であり、一番外側の袋は内側の２つの袋を支持して外観を整えると共に膨張時における滑りを防止する外装袋であり、前記外装袋からは前記敷布団の下方に向かう押止用シートが延び、前記保形袋の芯は、前記保形袋の上部外表面に定間隔置きに多数固定される物差し状の板状部材であることを特徴とする介護用エアバッグ装置。
【請求項４】
空気供給部と前記空気供給部からの給気によって膨らむ袋体とから成り、前記袋体は三重構造であって、敷布団の下側に配置されてその幅方向に延び、一番内側の袋は空気が出入する独立した複数の空気室を有する空気袋であり、中間の袋は芯を有する保形袋であり、一番外側の袋は内側の２つの袋を支持して外観を整えると共に膨張時における滑りを防止する外装袋であり、前記外装袋からは前記敷布団の下方に向かう押止用シートが延び、前記保形袋の芯は、前記保形袋の上半部外表面に定間隔置きに多数設けた長尺の差込み袋に差込まれる物差し状の板状部材であることを特徴とする介護用エアバッグ装置。
【考案の詳細な説明】
【技術分野】
【０００１】
本考案は、介護用エアバッグ装置、より詳細には、主に敷布団の下に設置して、寝たきりの被介護者の上半身を敷布団ごと起こしたり、寝返りをうたせたりするために用いる介護用エアバッグ装置に関するものである。
【背景技術】
【０００２】
寝たきりの老人や病人を介護するために寝姿勢変位装置が用いられる。この寝姿勢変位装置としては、空気袋を利用したものが多く用いられており、例えば、２枚の硬質の上板と底板との間に空気袋を配して構成される（特開平６−１３３８３２号公報、実開平５−２４０２８号公報）。
【０００３】
それは、敷布団の下に設置してその空気袋へ空気を供給すると、空気袋が上板を押圧しながら膨張することで、空気袋からの力は直接に敷布団へ伝達されるのではなく、硬質の上板を介して伝達される。そのため、敷布団へ伝達される力は、上板の全面にわたってほぼ一様となり、安定な力となるが、被介護者にとっては、身体の湾曲等に沿わない不自然に突張った、違和感のある体勢にて起こされることになる。
【０００４】
また、上板及び底板が嵩張るものとなるため、手軽に携帯するという訳にはいかず、不使用時の保管に場所をとってしまうという問題がある。
【特許文献１】特開平６−１３３８３２号公報
【特許文献２】実開平５−２４０２８号公報
【考案の開示】
【考案が解決しようとする課題】
【０００５】
本考案は上述したような問題を解決するためになされたもので、簡易な構成でコンパクトに折り畳んで携帯することができ、不使用時には邪魔にならないように片付けることができ、しかも、使用時には、被介護者の身体に沿って自由に変形し、以て被介護者の上半身を無理なく起こしたり、身体の向きを変えたりすることができる介護用エアバッグ装置を提供することを課題とする。
【課題を解決するための手段】
【０００６】
上記課題を解決するために、請求項１に係る考案は、空気供給部と前記空気供給部からの給気によって膨らむ袋体とから成り、前記袋体は三重構造であって、敷布団の下側に配置されてその幅方向に延び、一番内側の袋は空気が出入する空気袋であり、中間の袋は芯を有する保形袋であり、一番外側の袋は内側の２つの袋を支持して外観を整えると共に膨張時における滑りを防止する外装袋であり、前記外装袋からは前記敷布団の下方に向かう押止用シートが延び、前記保形袋の芯は、前記保形袋の上部外表面に定間隔置きに多数固定される物差し状の板状部材であることを特徴とする介護用エアバッグ装置を提唱する。
【０００７】
上記課題を解決するために、請求項２に係る考案は、空気供給部と前記空気供給部からの給気によって膨らむ袋体とから成り、前記袋体は三重構造であって、敷布団の下側に配置されてその幅方向に延び、一番内側の袋は空気が出入する空気袋であり、中間の袋は芯を有する保形袋であり、一番外側の袋は内側の２つの袋を支持して外観を整えると共に膨張時における滑りを防止する外装袋であり、前記外装袋からは前記敷布団の下方に向かう押止用シートが延び、前記保形袋の芯は、前記保形袋の上半部外表面に定間隔置きに多数設けた長尺の差込み袋に差込まれる物差し状の板状部材であることを特徴とする介護用エアバッグ装置を提唱する。
【０００８】
上記課題を解決するために、請求項３に係る考案は、空気供給部と前記空気供給部からの給気によって膨らむ袋体とから成り、前記袋体は三重構造であって、敷布団の下側に配置されてその幅方向に延び、一番内側の袋は空気が出入する独立した複数の空気室を有する空気袋であり、中間の袋は芯を有する保形袋であり、一番外側の袋は内側の２つの袋を支持して外観を整えると共に膨張時における滑りを防止する外装袋であり、前記外装袋からは前記敷布団の下方に向かう押止用シートが延び、前記保形袋の芯は、前記保形袋の上部外表面に定間隔置きに多数固定される物差し状の板状部材であることを特徴とする介護用エアバッグ装置を提唱する。
【０００９】
上記課題を解決するために、請求項４に係る考案は、空気供給部と前記空気供給部からの給気によって膨らむ袋体とから成り、前記袋体は三重構造であって、敷布団の下側に配置されてその幅方向に延び、一番内側の袋は空気が出入する独立した複数の空気室を有する空気袋であり、中間の袋は芯を有する保形袋であり、一番外側の袋は内側の２つの袋を支持して外観を整えると共に膨張時における滑りを防止する外装袋であり、前記外装袋からは前記敷布団の下方に向かう押止用シートが延び、前記保形袋の芯は、前記保形袋の上半部外表面に定間隔置きに多数設けた長尺の差込み袋に差込まれる物差し状の板状部材であることを特徴とする介護用エアバッグ装置を提唱する。
【考案の効果】
【００１０】
本考案に係る介護用エアバッグ装置は上記構成であるため、簡易な構成で装置自体をコンパクトに折り畳むことが可能であり、携帯が可能で不使用時には邪魔にならないように片付けておくことができ、また、被介護者の身体に沿って自由に変形するため、被介護者の上半身を無理なく起こしたり、身体の向きを変えたりすることができる効果がある。
【考案を実施するための最良の形態】
【００１１】
本考案を実施するための最良の形態について、添付図面に依拠して説明する。先ず、図１乃至図４に示す実施形態について説明するに、本考案に係る介護用エアバッグ装置は、後述する空気供給部と空気供給部からの給気によって膨らむ袋体１０とから成る。
【００１２】
袋体１０は三重構造であって、敷布団２０の下に配置されて敷布団２０の幅方向に延びる。一番内側の袋は空気が出入する空気袋１であり、中間の袋は芯を有する保形袋２であり、一番外側の袋は内側の２つの袋を支持して外観を整えると共に、膨張時における滑りを防止する外装袋３である。
【００１３】
外装袋３の底面には、使用時に敷布団２０の下方に向かって延ばす押止用シート４が形成される。このシート４は、それに被介護者２２の体重を及ばせることにより、本装置のズレを防止するためのものである。
【００１４】
保形袋２と外装袋３は、強靭性のある素材製とされる。保形袋２は空気袋１よりも少し大きめであるが、外装袋３よりは大分小さく、外装袋３内に十分なゆとりを持って収納できるようにされる。
【００１５】
保形袋２の外表面上半部には、複数の物差し状の板状部材５が、適宜間隔置きに、接着等により固定される。あるいは、板状部材５は、保形袋２の上半部外表面に長尺の差込み袋６を定間隔置きに多数設けて、そこに差込むこととしてもよい（図４参照）。また、外装袋３の敷布団２０又はベッド当接面には、滑り止め効果のある素材を配置するか、外装袋３自体、滑り止め効果のある素材製とする。
【００１６】
空気袋１の外側に二重の外装（保形袋２、外装袋３）を設けることとしたのは、保形袋２は、保形力を確保するためにその表面に板状部材５を配置し、また、その強靭性を以て空気袋１を保護するためであり、外装袋３は、商品としてのデザイン性を高めると共に、板状部材５を配置した保形袋２を覆って保護するためである。
【００１７】
また、外装袋３の表面に滑り止め効果のある素材を配置したり、外装袋３自体を滑り止め効果のある素材としたのは、本装置が、袋体１０の膨張に伴って敷布団２０から逃げてズレないようにし、敷布団２０の形態変位をより効率良く行なうためである。即ち、このような構成の場合には、敷布団２０及び床との間に高い摩擦抵抗力を生じさせることができるため、上記シート４の作用と相俟って、本装置の使用時における位置ズレが防止されるのである。
【００１８】
次に、本考案を実施する別の実施形態について、図５及び図６に依拠して説明する。
【００１９】
そこに示されるように、この実施形態は、空気供給部１７と空気供給部１７からの給気によって膨らむ袋体１０ａとから成り、袋体１０ａは三重構造であって、敷布団２０下に配置されて敷布団２０の幅方向に延びる。一番内側の袋は空気が出入する独立した２つの空気室１１ａ、１１ｂを有する空気袋１１であり、中間の袋は芯を有する保形袋１２であり、一番外側の袋は内側の２種の袋を支持して外観を整えると共に、膨張時における滑りを防止する外装袋１３である。
【００２０】
外装袋１３には、上記同様に、使用時に敷布団２０の下方に向かって延ばす押止用シートが形成される。保形袋１２は空気室１１ａ、１１ｂよりも少し大きめであるが、外装袋１３よりは大分小さく、外装袋１３内に十分なゆとりを持って収納できるようにされる。空気室１１ａ、１１ｂは分離されていてもよいし、１つの袋であって、内部が間仕切りで仕切られたものであってもよい。外装袋１３を二分し、それぞれに独立した保形袋１２と空気室１１ａ、１１ｂを配備することとしてもよい。
【００２１】
その他の構成は上記実施例と同様で、保形袋１２の外表面に、複数の物差し状の板状部材１５が取り付けられ、あるいは、板状部材１５は、保形袋１２の表面に形成された差込み袋に差込まれる。また、外装袋１３の表面に滑り止め効果のある素材が貼り付けられるか、外装袋１３自体が滑り止め効果のある素材製とされる。
【００２２】
空気室１１ａ、１１ｂを別体とし、あるいは、間仕切りで仕切ったものとしたのは、左右の空気室１１ａ、１１ｂを別々に膨張・収縮可能ならしめることで、後述するように、被介護者２２の寝返りを助けるためである。
【００２３】
空気供給部１７は、図示せぬエアポンプと、切替弁１８と、切替弁１８から各空気室１１ａ、１１ｂに延びるエアパイプ１９とで構成される。
【００２４】
本装置は、敷布団２０の枕側の下に、押止用シート４を下方に敷き込むようにして設置し、使用時に、空気供給部１７から空気袋１（１１ａ、１１ｂ）内に給気し、これを膨張させる。これに伴って保形袋２（１２）が膨張し、次いで外装袋３（１３）が膨張することにより、敷布団２０の上半部が起こされる。かくして、寝姿勢の被介護者の上半身を起こしたり、寝返りをうたせたりすることが可能となる。
【００２５】
なお、図２では、敷布団２０の下にマットレス２１が敷かれているため、被介護者２２はマットレス２１に沿って起こされることとなるが、従来の板状体によって起こす場合程違和感はない。
【００２６】
図５及び図６に示す実施形態においては、切換弁１８を介して、空気袋１１ａ、１１ｂにそれぞれ独立して給排気することができ、空気が供給された側の敷布団２０が押し上げられて被介護者２２に寝返りをうたせることができる。図６では、右側の空気袋１１ｂだけに空気が供給されているため、被介護者２２は左側に寝返りをうつこととなる。勿論、空気袋１１ａ、１１ｂを同時に膨張させれば、被介護者２２の上半身を起こすことができる。
【００２７】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００２８】
【図１】本考案に係る介護用エアバッグ装置の使用状態を示す部分断面図である。
【図２】本考案に係る介護用エアバッグ装置の他の使用状態を示す部分断面図である。
【図３】本発明に係る介護用エアバッグ装置を膨張させる前の側面図である。
【図４】本発明に係る介護用エアバッグにおける図２のＡ部分の拡大図である。
【図５】本考案に係る介護用エアバッグ装置の別の実施形態の部分破断面図である。
【図６】図５に示す介護用エアバッグ装置の使用状態を示す図である。
【符号の説明】
【００２９】
１    空気袋
２    保形袋
３    外装袋
４    押止用シート
５    板状部材
６    差込み袋
１０    袋体
１１ａ  空気室
１１ｂ  空気室
１２    保形袋
１３    外装袋
１５    板状部材
１７    空気供給部
１８    切替弁
１９    エアパイプ
２０    敷布団
２１    マットレス
２２    被介護者
【図１】
0003110099.tif 000003
【図２】
0003110099.tif 000004
【図３】
0003110099.tif 000005
【図４】
0003110099.tif 000006
【図５】
0003110099.tif 000007
【図６】
0003110099.tif 000008